(57)【要約】      （修正有）【課題】居ながらにして、散歩時に、スポーツ時など、あらゆる場所で誰でも気軽に指を開くだけで体力強化ができる手袋状のサポーターを提供する。【解決手段】手に着用する各指が分かれた体力強化用グローブ１であって、手の甲側を包む手甲部２と、手のひら側を包む手のひら部３と、手甲部および手のひら部に一体に形成される手首押さえ部４とからなり、手の甲部の繊維素材の伸縮率と手のひら部の繊維素材の伸縮率は異なることを特徴とする。【選択図】図１
2014114534.tif 000002
【特許請求の範囲】
【請求項１】
手に着用する各指が分かれたグローブであり、
手の甲側を包む手甲部と、
手のひら側を包む手のひら部と、
前記手甲部および手のひら部に一体に形成される手首押さえ部とからなり、
手の甲部の繊維素材の伸縮率と手のひら部の繊維素材の伸縮率は異なることを特徴とする体力強化用グローブ。
【請求項２】
前記グローブは、各指袋の付け根の各指袋周縁に伸縮する繊維素材を付帯させることを特徴とする請求項１に記載の体力強化用グローブ。
【請求項３】
前記グローブの手のひら部は蛇腹様に伸縮自在に形成し、手に着用しない場合は第１指から第５指までの各指袋の指先から前記手首押さえ部まで全体が手のひら部側を包み込むようにロール状に折り畳まれて形成されることを特徴とする請求項１乃至請求項２に記載の体力強化用グローブ。
【請求項４】
前記手甲部の繊維素材は合成樹脂または金属、あるいは弾力素材を積層させた伸縮率の低い素材で形成され、前記手のひら部の繊維素材は合成樹脂または金属、あるいは弾力素材を積層させた伸縮率の高い素材で形成することを特徴とする請求項１乃至請求項３に記載の体力強化用グローブ。
【発明の詳細な説明】
【技術分野】
【０００１】  本発明は、手に着用して使用する体力強化用の手袋に関するものである。
【背景技術】
【０００２】  鞄を把持する時の握力補助具に使われる手袋があった。
【先行技術文献】
【特許文献】
【０００３】
【特許文献１】  特願２００１−２１９０７号広報
【発明の内容】
【発明が解決しようとする課題】
【０００４】  特許文献１に記載の手袋は、握力を補助するための手袋であり筋力を向上させ体力アップを図るものではなかった。
【０００５】  本発明は、手に着用し、着用した状態で手を動かすことで手から繋がる筋肉に負荷をかけ体力を向上させるものである。
【課題を解決するための手段】
【０００６】  請求項１に記載の本発明の体力強化用グローブは、手に着用する手袋状のサポーターであり、手の甲側を包む手甲部と、手のひら側を包む手のひら部と、前記手甲部および手のひら部に一体に形成される手首押さえ部とからなり、手甲部の繊維素材の伸縮率と手のひら部の繊維素材の伸縮率は異なることを特徴とする。
【０００７】  請求項２に記載の本発明の体力強化用グローブは、各指袋の付け根の各指袋周縁に伸縮する繊維素材を付帯させることを特徴とする
【０００８】  請求項３に記載の本発明の体力強化用グローブは、手のひら部は蛇腹様に伸縮自在に形成し、手に着用しない場合は第１指から第５指までの各指袋の指先から手首押さえ部まで全体が手のひら部側を包み込むようにロール状に折り畳まれて形成されることを特徴とする。
【０００９】  請求項４に記載の本発明の体力強化用グローブは、手甲部の繊維素材は合成樹脂または金属、あるいは弾力素材を積層させた伸縮率の低い素材で形成され、手のひら部の繊維素材は合成樹脂または金属、あるいは弾力素材を積層させた伸縮率の高い素材で形成することを特徴とする。
【発明の効果】
【００１０】  請求項１に記載の本発明の体力強化用グローブは、手甲部と手のひら部の伸縮率が異なることで、手甲部側または手のひら部側のどちらかに小さく縮んだ形体に形成することができる。小さく縮んだ状態の体力強化用グローブに指と手を入れ着用することで、手甲部または手のひら部の繊維素材が伸長し、伸長した分だけ手甲部、手のひら部に圧力が加えられた状態となる。例えば手のひら部側が縮んだ状態の体力強化用グローブを着用し、指、手のひらを広げる運動をすると伸縮率の異なる手甲部と手のひら部に圧力の差が生まれ、必然的に手のひら部側の運動量が増加する。これにより指、手のひらを広げる運動を行うことで効果的に手のひら部側から繋がる前腕、上腕の内側の筋肉、体の前面側にある腹筋などの運動を行うことができるという優れた効果を発揮する。
【００１１】  請求項２に記載の本発明の体力強化用グローブは、各指袋の付け根の各指袋周縁に伸縮する繊維素材を付帯させることにより、指に圧力を加えながら指を開く運動ができる。手のひら、手の甲、各指に圧力をかけて指を広げる運動をすることで、握力強化およびスポーツパフォーマンスの向上が図られ、さらに第２指から第５指までの付け根が結束された状態となるため、４本の指が強くサポートされスポーツ時の指の怪我防止にも利用できるという優れた効果を発揮する。
【００１２】  請求項３に記載の本発明の体力強化用グローブは、手のひら部を蛇腹様に伸縮自在に形成することで、５本の各指袋を手のひら側に渦巻のようにロール状に折り畳んで製造することができる。ロール状に折り畳まれた形体の体力強化用グローブを手に着用し、指と手のひらを広げようとするだけで通常より筋肉の運動量を向上させることができ、体力向上に貢献できる。また、本構造を作業手袋などに使用した場合は、手のひら部と指袋が手のひら側にロール状に屈曲していることで、ハンマーや包丁などを楽に把持でき疲労度を軽減させることができ作業性を向上させることができる。さらに、本構造をスポーツ用手袋に応用した場合には、野球のバット、ゴルフのクラブなどを軽く握ることができ、ヘッドのブレを改善し方向性の確保、ヘッドスピードの向上、飛距離の向上など技術の発展に貢献できるという優れた効果を発揮する。
【００１３】  請求項４に記載の本発明の体力強化用グローブは、合成樹脂、金属、またはゴムなどの弾性部材を積層させた繊維を使用することにより伸縮強度を強くすることが可能となり、繊維の伸縮率の度合を自在にできるようになる。これにより、例えばダンベルに匹敵するような５００ｇ、１ｋｇ、２ｋｇ、３ｋｇの負荷を手袋状のグローブで創出することができるという優れた効果を発揮する。
【図面の簡単な説明】
【００１４】
【図１】  本発明の体力強化用グローブの着用前の斜視図である。
【図２】  本発明の体力強化用グローブの着用後の斜視図である。
【図３】  本発明の体力強化用グローブの第２の実施例の着用後の平面図である。
【図４】  本発明の体力強化用グローブの第３の実施例の斜視図である。
【図５】  本発明の体力強化用グローブの第３の実施例の着用後の斜視図である。
【図６】  本発明の体力強化用グローブの第３の実施例の着用後の斜視図である。
【発明を実施するための最良の形態】
【００１５】  以下、本発明を図面に示す。実施形態図１〜６に基づき説明をする。ただし、以下の実施をするための形態は、本発明の体力強化用グローブの一例として説明するものであり、この説明の図の項に限定されるものではない。【００１６】  図１は、本発明の体力強化用グローブの着用前の斜視図である。体力強化用グローブ１、手甲部２、手のひら部３、手首押さえ部４から構成される。着用前は、体力強化用グローブ１は手のひら部３側に丸く小さく収縮した状態になっている。これは、手甲部２と手のひら部３のそれぞれの繊維素材の伸縮率と強度を違えることで、手のひら部３が手のひら側へ丸く縮まるように形成しているためである。手のひら部３は伸縮率が高く且つ伸縮高強も強く形成することが肝要である。【００１７】  手甲部２と手のひら部３の繊維素材の伸縮率と強度を変える目的は、手の甲側と手のひら側に加わる負荷に差異を生じさせるためである。例えば伸縮率と強度が強い側に手のひらを相対させて着用した場合には、手を広げるだけで手のひら側の運動量を向上させることができる。【００１８】  図２は、本発明の体力強化用グローブ１を着用した斜視図である。体力強化用グローブ１、手甲部２、手のひら部３、手首押さえ部４から構成される。体力強化用グローブ１は、手に着用しない場合は、小さく収縮した状態を保っているが、手に着用すると手甲部２および手のひら部３が大きく伸長するようになっている。手のひら部３は伸縮率が高く且つ強度も強いことから、指を伸ばした際に逆に収縮しようとする力も大きくなり、指、手に繊維素材の圧力が加わるようになる。【００１９】  また、手首止め部４は、手に加わる圧力を調整するためのものである。例えば１ｋｇ、２ｋｇ、３ｋｇのダンベルに匹敵する負荷をつくるために緩めたり、締め付けたりすることで手、腕に加わる圧力を調整することができるものである。【００２０】  また、本発明の体力強化用グローブは、手の甲側と手のひら側を逆にして着用することができる。手の甲側と手のひら側を逆に着用した場合には、手が手甲部２側に反った状態になる。この状態で手を握ろうとすると手の甲側から繋がる前腕、上腕の外側の筋肉や、背筋を始めとした体の後側の筋肉に刺激を与えることができる。【００２１】  図３は、本発明の体力強化用グローブの第２の実施例を着用した平面図である。体力強化用グローブ５、各指の付け根部分の周縁に沿って形成される繊維素材６、親指と人差し指の間に形成される繊維素材７、手首押さえ部８、着用前の縮んだ状態の指袋の長さと着用後に伸びた指袋の長さの比較ａから構成される。繊維素材６、７は縦、横、斜めのクロス状に製織し強度を向上させるものである。特に繊維素材６、７は指を横方向に広げた時に引っ張られて伸びるが、逆に強く縮もうとする性質の弾力性のある素材で形成することが肝要である。指を広げると逆に指と手のひらが縮められ、また伸ばそうとすると縮められるという自然な反動運動を行うことで、手のひら、親指、小指側から繋がる腕の筋肉に負荷を与え、握力強化、指のストレッチ、上肢の筋力強化などを行うことができる。【００２２】  また、本発明の体力強化用グローブの第２の実施例５に指を入れると、収縮していたグロ��ブ５が広がり、手甲部、手のひら部に加え指袋のａの分だけ伸長する。ａの分の引っ張り及び伸縮の強度を自在にすることで、例えばダンベルのように５００ｇ、１ｋｇ、２ｋｇ、３ｋｇの重量に匹敵するような負荷を加えることも可能となる。【００２３】  図４は、本発明の体力強化用グローブの第３の実施例の側面断面図である。体力強化用グローブ９、手甲部１０、手のひら部１１、手首押さえ部１２から構成される。蛇腹様に伸縮自在に形成された手のひら部１１は、手のひら側にロール状に折り畳まれた形体となっている。ロール状に折り畳まれた状態のグローブ９の手のひら部１１は、伸縮素材の伸び率に余裕があることから、グローブ９を手に着用した場合に大きく伸長し、大きく伸長した分逆に大きく縮まろうとする相反する働きを作り出すことができる。このため手に加わる圧力も強くなり、手に着用しただけで、グローブ９の手のひら部１１が締まろうとする効果が表出する。これにより、小さな力で物を把持することも可能となってくる。手のひら部１１は、自在に大きく伸縮できるような弾力素材を使用することが肝要であり、逆に手甲部１０は例えば皮などの伸縮率の低い素材を使用することも可能である。【００２４】  図５は、本発明の体力強化用グローブの第３の実施例の斜視図である。体力強化用グローブ９、手甲部１０、手のひら部１１、手首押さえ部１２から構成される。手に着用しない場合は第１指から第５指までの各指袋の指先から前記手首押さえ部まで全体が手のひら部側を包み込むようにロール状に形成することが肝要である。また、手のひら部１１に形成する蛇腹様の伸縮自在の素材は、シャーリング状に形成することも可能であり、ゴムと同等の弾力を持つ素材だけで伸縮自在に形成することも可能である。また伸縮素材の伸縮率及び伸縮強度は、使用対象者、使用用途により随意決定することができる。【００２５】  図６は、本発明の体力強化用グローブの第３の実施例を着用した斜視図である。体力強化用グローブ９、手甲部１０、手のひら部１１、手首押さえ部１２から構成される。手に着用した時点では、手のひら部１１の収縮が強いため各指は手のひら部１１側に丸く縮こまった状態である。【００２６】  図７は、本発明の体力強化用手袋サポーターの第３の実施例を着用した斜視図である。体力強化用グローブ９、手甲部１０、手のひら部１１、手首押さえ部１２から構成される。手に体力強化用グローブ９を着用し、指、手のひらを広げると、通常の手袋の形体になるが、弾性素材を積層させた繊維で蛇腹様に製織することで、手のひら部１１は大きく伸長することができる。手のひら部１１は大きく伸長するものの、伸長の度合が大きいほど収縮する力も大きくなり、体力強化用グローブ９を着用し指や手を動かす、開く、伸ばすだけで通常より筋肉の運動量を向上させることができる。【００２７】  また、蛇腹様に伸縮自在に形成する指袋は、例えば、第１指、第２指、第３指、第４指、第５指の個々の指袋に随意加工を施すことができる。例えば、スポーツなら野球のバット、ゴルフのクラブ等を握る際に重要な第３指から第５指までの指袋を手のひら側に内側にロール状に伸縮加工を施すことで、グリップを軽く握ることができる。グリップを軽く���ることで、上体から力を抜いたスイングができパフォーマンスの向上に寄与することができる。
【産業上の利用可能性】
【００２８】  居ながらにして、または散歩時に本発明の体力強化用グローブを着用して手の運動を行うことで、老若男女誰でも体力強化、脳の活性化を図ることができる。また、スポーツにおいては、あらゆるシーンで手に着用するだけで筋力を強化、体力を増強することができパフォーマンスを向上させることができる。
【符号の説明】
【００２９】  １    体力強化用グローブ
２、１０    手甲部
３、１１    手のひら部
４、８、１２    手首押さえ部
５    体力強化用グローブの第２の実施例
６    繊維素材
７    繊維素材
９    体力強化用グローブの第３の実施例
ａ    伸長部
【図１】
2014114534.tif 000003
【図２】
2014114534.tif 000004
【図３】
2014114534.tif 000005
【図４】
2014114534.tif 000006
【図５】
2014114534.tif 000007
【図６】
2014114534.tif 000008
【図７】
2014114534.tif 000009
【手続補正書】
【提出日】平成25年4月9日(2013.4.9)
【手続補正２】
【補正対象書類名】明細書
【補正対象項目名】００１４
【補正方法】変更
【補正の内容】
【００１４】
【図１】  本発明の体力強化用グローブの着用前の斜視図である。
【図２】  本発明の体力強化用グローブの着用後の斜視図である。
【図３】  本発明の体力強化用グローブの第２の実施例の着用後の平面図である。
【図４】  本発明の体力強化用グローブの第３の実施例の斜視図である。
【図５】  本発明の体力強化用グローブの第３の実施例の着用後の斜視図である。
【図６】  本発明の体力強化用グローブの第３の実施例の着用後の斜視図である。
【図７】  本発明の体力強化用グローブの第３の実施例を着用後の斜視図である。